【手続補正書】
【提出日】平成25年3月18日(2013.3.18)
【手続補正１】
【補正対象書類名】特許請求の範囲
【補正対象項目名】全文
【補正方法】変更
【補正の内容】
【特許請求の範囲】
【請求項１】
カスタマイズされた創傷被覆材を提供する方法であって、
遠隔装置から、特定の患者の特定の創傷用にカスタマイズされ、前記特定の患者の前記特定の創傷に対する診断の後に生成された創傷被覆材の構成を表す創傷被覆材の仕様を受信するステップであって、前記創傷被覆材の仕様は少なくとも、（ｉ）前記特定の創傷および前記特定の患者を示す創傷の識別情報と、（ｉｉ）前記創傷被覆材の形状および寸法と、（ｉｉｉ）前記創傷被覆材を前記特定の創傷に塗布する前に前記創傷被覆材の１つまたは複数の層に塗布すべき液体を示す液体情報とを指定する、ステップと、
前記特定の患者の前記特定の創傷用の前記創傷被覆材の仕様を受信したことに応答して、少なくとも前記液体情報に従って前記液体を第１の創傷被覆材に追加することにより、第１の自動創傷被覆材製作装置によって第１の創傷被覆材を製作するステップと、
前記第１の創傷被覆材が前記特定の患者の前記特定の創傷に塗布される所定の場所に、前記第１の創傷被覆材を配達させるステップと
を含むことを特徴とする方法。
【請求項２】
前記遠隔装置は、前記第１の創傷被覆材製作装置から離れたところにある第２の自動創傷被覆材製作装置であることを特徴とする請求項１に記載の方法。
【請求項３】
前記遠隔装置は、前記第１の創傷被覆材製作装置から離れたところにあるサーバであり、前記サーバは、前記患者の医療記録を格納し、前記医療記録は、前記特定の創傷に関連付けられた創傷の処方箋を含むことを特徴とする請求項１に記載の方法。
【請求項４】
前記創傷被覆材の仕様に基づいて、前記第１の自動創傷被覆材製作装置を使用して第２の創傷被覆材を製作するステップをさらに含み、前記第２の創傷被覆材は、前記第１の創傷被覆材の第１の構成とは異なる第２の構成を有することを特徴とする請求項１に記載の方法。
【請求項５】
前記第２の創傷被覆材は、前記創傷に対する前記第１の創傷被覆材の塗布によって前記創傷の状態が進捗した後に前記創傷に塗布するために構成されることを特徴とする請求項４に記載の方法。
【請求項６】
前記所定の場所は、患者の住居、および医療施設のうちの少なくとも一方であることを特徴とする請求項１に記載の方法。
【請求項７】
前記創傷被覆材の仕様は、前記第１の創傷被覆材内の保護層の構成に関する情報をさらに含むことを特徴とする請求項１に記載の方法。
【請求項８】
前記創傷被覆材の仕様は、前記特定の患者の前記特定の創傷の箇所を識別する情報をさらに含むことを特徴とする請求項１に記載の方法。
【請求項９】
前記創傷被覆材の仕様に関連付けられた患者情報を受信するステップをさらに含むことを特徴とする請求項１に記載の方法。
【請求項１０】
前記第１の創傷被覆材の配達に関連付けられた追跡情報を送信するステップをさらに含むことを特徴とする請求項１に記載の方法。
【請求項１１】
医療関係者からの前記創傷被覆材の仕様に関連付けられた許可を受信するステップと、
前記第１の自動創傷被覆材製作装置によって前記第１の創傷被覆材を製作する前に、前記医療関係者の前記許可を認証するステップと
をさらに含むことを特徴とする請求項１に記載の方法。
【請求項１２】
前記遠隔装置から前記第１の創傷被覆材に関連付けられた払戻コードを受信するステップをさらに含み、前記払戻コードは、支払い側エンティティに払い戻しを要求するのに必要な情報を表すことを特徴とする請求項１に記載の方法。
【請求項１３】
創傷治療サービスを提供する方法であって、
創傷治療施設において、特定の患者の特定の創傷を診断した後の前記特定の患者の前記特定の創傷の特徴を受信するステップと、
前記創傷治療施設における前記創傷の特徴に基づいて、コンピューティング装置において創傷被覆材の仕様を生成するステップであって、前記創傷被覆材の仕様は、前記特定の患者の前記特定の創傷用にカスタマイズされた創傷被覆材の構成を表し、前記創傷被覆材の仕様は少なくとも、（ｉ）前記特定の創傷および前記特定の患者を示す創傷の識別情報と、（ｉｉ）前記創傷被覆材の形状および寸法と、（ｉｉｉ）前記創傷被覆材を前記特定の創傷に塗布する前に前記創傷被覆材の１つまたは複数の層に塗布すべき液体を示す液体情報とを指定する、ステップと、
少なくとも前記液体情報に従って液体を第１のカスタマイズされた創傷被覆材に追加することにより前記第１のカスタマイズされた創傷被覆材を製作するため、前記創傷治療施設から離れたところにある第１の自動創傷被覆材製作装置に、前記特定の患者の前記特定の創傷のための前記創傷被覆材の仕様を送信するステップと
を含むことを特徴とする方法。
【請求項１４】
前記創傷被覆材の仕様に基づいて、前記創傷治療施設から離れたところに置かれた第２の自動創傷被覆材製作装置によって、第２のカスタマイズされた創傷被覆材を製作するステップと、
前記第２のカスタマイズされた創傷被覆材を前記患者の前記創傷に塗布するステップと
をさらに含むことを特徴とする請求項１３に記載の方法。
【請求項１５】
前記第２の創傷被覆材は、前記創傷に対する前記第１の創傷被覆材の塗布によって前記創傷の状態が進捗した後に前記創傷に塗布するために構成されることを特徴とする請求項１４に記載の方法。
【請求項１６】
前記創傷治療施設において前記創傷被覆材の仕様に関連付けられた患者情報を受信するステップと、
前記患者情報を前記第１の自動創傷被覆材製作装置に送信するステップと
をさらに含むことを特徴とする請求項１３に記載の方法。
【請求項１７】
前記創傷被覆材の仕様を生成するステップは、
創傷被覆材パラメータ生成装置で前記創傷の特徴に関連付けられた入力を受信するステップと、
前記受信された入力に、コンピュータで実装されるアルゴリズムを適用することによって、前記創傷被覆材の仕様を生成するステップと
を含むことを特徴とする請求項１３に記載の方法。
【請求項１８】
サーバから更新情報を受信するステップをさらに含み、前記コンピュータで実装されるアルゴリズムは、前記創傷を治療するための更新されたポリシーを実装するように前記更新情報によって変更されることを特徴とする請求項１７に記載の方法。
【請求項１９】
前記第１の創傷被覆材を塗布した後、前記創傷の状態の進捗を決定するステップと、
前記創傷の状態の前記進捗の観察結果を、創傷治療に関連付けられた統計データを蓄積して処理するためのサーバに送信するステップと
をさらに含むことを特徴とする請求項１３に記載の方法。
【請求項２０】
前記特定の創傷を診断することは、前記特定の創傷を視覚的に観察し、デジタル撮像装置を使用して前記特定の創傷をスキャンすることを含むことを特徴とする請求項１３に記載の方法。
【請求項２１】
前記創傷の特徴に基づいて払戻コードを生成するステップであって、前記払戻コードは、支払い側エンティティに前記第１のカスタマイズされた創傷被覆材に関連付けられた払い戻しを要求するのに必要な情報を表す、ステップと、
前記第１の創傷被覆材を操作するエンティティが前記第１の創傷被覆材に関連付けられた料金を前記支払い側エンティティから収集することを可能にするために、前記第１の自動創傷被覆材製作装置に前記払戻コードを送信するステップと
をさらに含むことを特徴とする請求項１３に記載の方法。
【請求項２２】
特定の患者の特定の創傷の診断の後に前記特定の患者の前記特定の創傷の特徴を表す入力を受信したことに応答して、前記特定の患者の前記特定の創傷用にカスタマイズされた創傷被覆材の構成を表す創傷被覆材の仕様を生成するように構成された創傷被覆材パラメータ生成装置であって、前記創傷被覆材の仕様は少なくとも、（ｉ）前記特定の創傷および前記特定の患者を示す創傷の識別情報と、（ｉｉ）前記創傷被覆材の形状および寸法と、（ｉｉｉ）前記創傷被覆材を前記特定の創傷に塗布する前に前記創傷被覆材の１つまたは複数の層に塗布すべき液体を示す液体情報とを指定し、前記創傷被覆材パラメータ生成装置は、創傷治療施設から離れたところにある第１の自動創傷被覆材製作装置に前記創傷被覆材の仕様を送信するようにさらに構成されている、前記創傷被覆材パラメータ生成装置と、
前記特定の患者の前記特定の創傷に対する前記創傷被覆材の仕様を受信し、少なくとも前記液体情報に従って液体を前記創傷被覆材に追加することによって前記創傷被覆材の仕様に従って前記創傷被覆材を製作するように構成された第２の自動創傷被覆材製作装置と
を備えたことを特徴とする創傷治療施設。
【請求項２３】
前記特定の患者の情報、および前記特定の患者に関連付けられた前記創傷被覆材の仕様を格納する電子医療情報システムをさらに備えたことを特徴とする請求項２２に記載の創傷治療施設。
【請求項２４】
前記創傷被覆材パラメータ生成装置は、コンピュータで実装されるアルゴリズムを実行して、前記入力に基づいて前記創傷被覆材の仕様を生成することを特徴とする請求項２２に記載の創傷治療施設。
【請求項２５】
前記創傷被覆材パラメータ生成装置は、前記創傷被覆材の仕様を生成するために、前記アルゴリズムを更新するための更新情報をサーバから受信するようにさらに構成されることを特徴とする請求項２４に記載の創傷治療施設。
【請求項２６】
前記創傷被覆材パラメータ生成装置は、
前記創傷被覆材の仕様に関連付けられた患者情報を受信し、
前記患者情報を前記第１の自動創傷被覆材製作装置に送信する
ようにさらに構成されることを特徴とする請求項２２に記載の創傷治療施設。
【請求項２７】
前記創傷被覆材パラメータ生成装置は、前記創傷被覆材の仕様を承認する医療関係者の許可を受信するように構成され、前記創傷被覆材パラメータ生成装置は、前記許可を前記第１の自動創傷被覆材製作装置に送信するように構成されることを特徴とする請求項２２に記載の創傷治療施設。
【請求項２８】
前記創傷被覆材パラメータ生成装置は、前記創傷被覆材に関連付けられた払戻コードを生成するようにさらに構成され、前記払戻コードは、支払い側エンティティに払い戻しを要求するのに必要な情報を表すことを特徴とする請求項２２に記載の創傷治療施設。
【請求項２９】
離れたところにある創傷被覆材パラメータ生成装置から、特定の患者の特定の創傷の診断の後に生成された創傷被覆材の構成を表す創傷被覆材の仕様を受信したことに応答して、前記特定の患者の前記特定の創傷用にカスタマイズされた創傷被覆材を製作するように構成された自動創傷被覆材製作装置であって、前記創傷被覆材の仕様は少なくとも、（ｉ）前記特定の創傷および前記特定の患者を示す創傷の識別情報と、（ｉｉ）前記創傷被覆材の形状および寸法と、（ｉｉｉ）前記創傷被覆材を前記特定の創傷に塗布する前に前記創傷被覆材の１つまたは複数の層に塗布すべき液体を示す液体情報とを指定する、自動創傷被覆材製作装置と、
前記製作された創傷被覆材が前記特定の患者の前記特定の創傷に塗布される所定の場所に、前記製作された創傷被覆材を配達するように構成された配送施設と
を備えたことを特徴とする創傷被覆材ディスペンサ施設。
【請求項３０】
前記所定の場所は、患者の住居、および医療施設のうちの少なくとも一方であることを特徴とする請求項２９に記載の創傷被覆材ディスペンサ施設。
【請求項３１】
前記製作された創傷被覆材の製作および配達状況に関する追跡情報を、当該創傷被覆材ディスペンサ施設から離れたところにあるサーバに送信するための端末をさらに備えたことを特徴とする請求項２９に記載の創傷被覆材ディスペンサ施設。
【請求項３２】
前記自動創傷被覆材製作装置は、前記創傷被覆材を製作する前に、前記創傷被覆材の仕様を承認する医療関係者からの許可を受信して認証するように構成されることを特徴とする請求項２９に記載の創傷被覆材ディスペンサ施設。
【請求項３３】
前記自動創傷被覆材製作装置は、前記創傷被覆材に関連付けられた払戻コードを受信するようにさらに構成され、前記払戻コードは、支払い側エンティティに払い戻しを要求するのに必要な情報を表すことを特徴とする請求項２９に記載の創傷被覆材ディスペンサ施設。
【請求項３４】
プロセッサによって実行されると、前記プロセッサに、
特定の患者の特定の創傷を診断した後に前記特定の患者の前記特定の創傷の特徴に関連付けられた入力を受信させ、
前記入力を分析するアルゴリズムによって、前記特定の患者の前記特定の創傷用にカスタマイズされた創傷被覆材の構成を表す創傷被覆材の仕様を生成させることであって、少なくとも（ｉ）前記特定の創傷および前記特定の患者を示す創傷の識別情報と、（ｉｉ）前記創傷被覆材の形状および寸法と、（ｉｉｉ）前記創傷被覆材を前記特定の創傷に塗布する前に前記創傷被覆材の１つまたは複数の層に塗布すべき液体を示す液体情報とを指定する創傷被覆材の仕様を生成させ、
前記特定の患者の前記特定の創傷に対する前記創傷被覆材の仕様を前記プロセッサから離れたところにある自動創傷被覆材製作装置に送信させる
ための命令を記憶したことを特徴とするコンピュータ読取可能記憶媒体。
【請求項３５】
創傷治療に関連する統計データを蓄積して分析するサーバから、前記統計データの分析に基づいて生成された前記更新情報を受信し、
前記更新情報に従って前記アルゴリズムを更新する
ための命令をさらに含むことを特徴とする請求項３４に記載のコンピュータ読取可能記憶媒体。
【請求項３６】
前記創傷被覆材の仕様に関連付けられた患者の情報を受信し、
前記患者の情報を前記自動創傷被覆材製作装置に送信する
ための命令をさらに含むことを特徴とする請求項３４に記載のコンピュータ読取可能記憶媒体。
【請求項３７】
前記創傷被覆材の仕様を前記自動創傷被覆材製作装置に送信する前に、前記創傷被覆材の仕様を許可する医療関係者からの入力を受信するための命令をさらに含むことを特徴とする請求項３４に記載のコンピュータ読取可能記憶媒体。
【請求項３８】
前記入力は、デジタル撮像装置によって生成されることを特徴とする請求項３４に記載のコンピュータ読取可能記憶媒体。
【請求項３９】
前記入力は、創傷のタイプ、滲出物の量、前記創傷の深さ、前記創傷の細菌定着、前記創傷の上皮形成、および前記創傷の感度から成るグループのうちの少なくとも１つを含むことを特徴とする請求項３４に記載のコンピュータ読取可能記憶媒体。
【請求項４０】
患者に創傷治療サービスを提供するためのシステムであって、
特定の患者の特定の創傷を診断した後に前記特定の患者の前記特定の創傷の特徴を表す入力を受信したことに応答して、前記特定の患者の前記特定の創傷用にカスタマイズされた創傷被覆材の構成を表す創傷被覆材の仕様を生成するように構成された創傷被覆材パラメータ生成装置を含む創傷治療施設であって、少なくとも（ｉ）前記特定の創傷および前記特定の患者を示す創傷の識別情報と、（ｉｉ）前記創傷被覆材の形状および寸法と、（ｉｉｉ）前記創傷被覆材を前記特定の創傷に塗布する前に前記創傷被覆材の１つまたは複数の層に塗布すべき液体を示す液体情報とを指定する創傷被覆材の仕様を生成するように構成された創傷被覆材パラメータ生成装置を含む、創傷治療施設と、
前記創傷治療施設からの前記特定の患者の前記特定の創傷用の前記創傷被覆材の仕様を受信したことに応答して、自動創傷被覆材製作装置によって前記カスタマイズされた創傷被覆材を製作するように構成された創傷被覆材ディスペンサと
を備え、前記自動創傷被覆材製作装置は、少なくとも前記液体情報に従って液体を前記カスタマイズされた創傷被覆材に追加することによって前記カスタマイズされた創傷被覆材を製作するように構成され、前記創傷被覆材ディスペンサは該製作された創傷被覆材を所定の場所に配達させるように構成されることを特徴とするシステム。
【請求項４１】
前記創傷被覆材の仕様と創傷の状態の進捗を表す創傷治療情報とを受信して格納するための電子医療情報システムをさらに備え、前記電子医療情報システムは、前記創傷被覆材の仕様と前記創傷治療情報とを分析して、前記創傷被覆材の仕様を生成するためのアルゴリズムを生成することを特徴とする請求項４０に記載のシステム。
【請求項４２】
前記所定の場所は、患者の住居、および医療施設のうちの少なくとも一方であることを特徴とする請求項４０に記載のシステム。
【請求項４３】
前記創傷被覆材の仕様を承認する医療関係者の許可を受信したことに応答して、前記創傷被覆材の仕様を前記創傷被覆材ディスペンサに送信するように構成された電子医療情報システムをさらに備えたことを特徴とする請求項４０に記載のシステム。
【請求項４４】
前記創傷被覆材パラメータ生成装置は、前記カスタマイズされた創傷被覆材に関連付けられた払戻コードを生成して、前記創傷被覆材ディスペンサに送信するようにさらに構成され、前記払戻コードは、支払い側エンティティに払い戻しを要求するのに必要な情報を表すことを特徴とする請求項４０に記載のシステム。